(57)【要約】【課題】体裁よく、強固な構成とすることができる管材構造及びこれを備えた什器を提供する。【解決手段】管材構造１０は、一方向に向かって延在する管状の管材３０と、該管材３０の内部に前記一方向に向かって挿入配置され、前記一方向と交差する他の方向に向かって凹んだ凹部１３９が形成されるとともに弾性変形可能な挿入部材１３０と、前記凹部内１３９に配設され、前記管材３０の変形を抑制するスペーサー部材４０とを備えることを特徴とする。【選択図】図２
2014145462.tif 000002
【特許請求の範囲】
【請求項１】
一方向に向かって延在する管状の管材と、
該管材の内部に前記一方向に向かって挿入配置され、前記一方向と交差する他の方向に向かって凹んだ凹部が形成されるとともに弾性変形可能な挿入部材と、
前記凹部内に配設され、前記管材の変形を抑制するスペーサー部材とを備えることを特徴とする管材構造。
【請求項２】
請求項１に記載の管材構造において、
前記凹部は、前記管材の前記他の方向に向かって貫通する貫通孔で構成され、
前記他の方向において、前記管材内部の長さ寸法と、前記スペーサー部材の長さ寸法とが略同一であることを特徴とする管材構造。
【請求項３】
請求項１または請求項２に記載の管材構造において、
前記凹部の前記他の方向周りの内周形状と前記スペーサー部材の前記他の方向周りの外周形状とは、互いに補形をなす形状とされていることを特徴とする管材構造。
【請求項４】
請求項１から請求項３のいずれか一項に記載の管材構造において、
前記スペーサー部材には、前記他の方向に向かって突出する凸条部が形成され、
該凸条部の頂点は、前記管材の内面と当接していることを特徴とする管材構造。
【請求項５】
請求項１から請求項４のいずれか一項に記載の管材構造において、
前記挿入部材には、前記一方向端部に前記管材の前記一方向端部と係合する係合部が形成され、
前記挿入部材は、前記管材の前記一方向端部に挿入配置されていることを特徴とする管材構造。
【請求項６】
請求項１から請求項５のいずれか一項に記載の管材構造を脚部材として備えたことを特徴とする什器。
【請求項７】
請求項６に記載の什器において、
前記管材には、前記他の方向に向かって貫通する取付孔が穿設され、
前記スペーサー部材には、前記他の方向に向かって前記取付孔に対応する位置に雌ネジが形成され、
前記取付孔に挿通されるとともに前記雌ネジに螺合され、床面に接地された接地部材を備えることを特徴とする什器。
【発明の詳細な説明】
【技術分野】
【０００１】
本発明は、管材構造及びこれを備えた什器に関するものである。
【背景技術】
【０００２】
一般に、オフィスや公共施設、商業施設等の執務空間においては、執務空間内の様々な場所に移動しながら執務を行う場合がある。この場合、執務者は作業台としてカート装置を用い、カート装置とともに移動しながら随時必要に応じた場所にて執務が行われていた。
【０００３】
このようなカート装置としては、床面上を走行可能なキャスターが設けられた脚体と、該脚体から立設される一対の支柱と、該一対の支柱のうえに設けられた作業用の天板とを備えたものが多く知られている。そして、カート装置にキャスターが設けられていることで、執務者はカート装置を押し引きして移動することができる。
ここで、キャスターは、例えば脚柱の端部に施された加工部分に対してネジ等により固定されている（下記特許文献１参照）。
【０００４】
また、家具のベース本体とは別部材の前キャップを該脚体の端部に設け、該前キャップにアジャスタを取り付けることにより、前キャップを介して接地部材を取り付ける構成が提案されている（下記特許文献２参照）。このような構成では、家具に作用する荷重を前キャップにて支持することができるため、該前キャップの強度を高めることにより、家具自体を強固な構成とすることが可能となる。
【先行技術文献】
【特許文献】
【０００５】
【特許文献１】特許第４６５２８３９号公報
【特許文献２】特許第３４９８６０５号公報
【発明の概要】
【発明が解決しようとする課題】
【０００６】
しかしながら、上記の特許文献１に記載の構成においては、什器全体の荷重を脚体及びキャスターにて負担するため、脚体における接地部材の取付部分に応力が集中して、脚体が変形又は破損しまう虞がある。
【０００７】
また、上記の特許文献２に記載の構成においては、家具の荷重を支持する前キャップは脚体の端部に設けられるため、前キャップが露出して体裁が良好でないという問題点がある。
【０００８】
本発明は、上記事情に鑑みてなされたものであり、体裁よく、強固な構成とすることができる管材構造及びこれを備えた什器を提供するものである。
【課題を解決するための手段】
【０００９】
上記目的を達成するために、本発明は以下の手段を採用している。
すなわち、本発明に係る管材構造は、一方向に向かって延在する管状の管材と、該管材の内部に前記一方向に向かって挿入配置され、前記一方向と交差する他の方向に向かって凹んだ凹部が形成されるとともに弾性変形可能な挿入部材と、前記凹部内に配設され、前記管材の変形を抑制するスペーサー部材とを備えることを特徴とする。
【００１０】
このように構成された管材構造では、挿入部材が弾性変形して管材内部に嵌まり込むため、該管材に対する挿入部材の位置決めがされた状態で該挿入部材は管材内部に配される。一方、凹部内に配設されたスペーサー部材は管材の他の方向に対する変形を抑制するとともに該管材を支持することができるため、管材全体を強固な構成とすることができる。
また、スペーサー部材は管材の内部に配設されるため、体裁の良い構成とすることができる。
よって、体裁よく、強固な構成とすることができる。
【００１１】
また、本発明に係る管材構造は、前記凹部は、前記管材の前記他の方向に向かって貫通する貫通孔で構成され、前記他の方向において、前記管材内部の長さ寸法と、前記スペーサー部材の長さ寸法とが略同一であることが好ましい。
【００１２】
このように構成された管材構造では、凹部を貫通孔とすることで、該凹部に配設されるスペーサー部材の体積を大きく確保することができるため、管材全体をより一層強固な構成とすることができる。
また、スペーサー部材が管材内部に丁度配設されるため、スペーサー部材は管材を確実に支持することができる。
【００１３】
また、本発明に係る管材構造は、前記凹部の前記他の方向周りの内周形状と前記スペーサー部材の前記他の方向周りの外周形状とは、互いに補形をなす形状とされていてもよい。
【００１４】
このように構成された管材構造では、スペーサー部材を凹部内に確実に配設することができる。
【００１５】
また、本発明に係る管材構造は、前記スペーサー部材には、前記他の方向に向かって突出する凸条部が形成され、該凸条部の頂点は、前記管材の内面と当接していてもよい。
【００１６】
このように構成された管材構造では、凸条部の頂点が管材の内面に当接して該管材を支持することができる。よって、凸条部に作用する荷重をスペーサー部材全体で負担することができるため、確実に強固な構成とすることができる。
【００１７】
また、本発明に係る管材構造は、前記挿入部材には、前記一方向端部に前記管材の前記一方向端部と係合する係合部が形成され、前記挿入部材は、前記管材の前記一方向端部に挿入配置されていてもよい。
【００１８】
このように構成された管材構造では、管材の端部に衝撃力等の外力がかかる場合でも、強固な構成として管材の損傷を防止することができる。また、挿入部材の係合部が管材端部と係合することにより、管材に対する挿入部材の位置決めがされ、定位置に配設することができる。
【００１９】
また、本発明に係る什器は、上記のいずれか一に記載の管材構造を脚部材として備えたことを特徴とする。
【００２０】
このように構成された什器では、脚部材が強固な構成とされるため、什器自体も強固な構成とすることができる。
【００２１】
また、本発明に係る什器は、前記管材には、前記他の方向に向かって貫通する取付孔が穿設され、前記スペーサー部材には、前記他の方向に向かって前記取付孔に対応する位置に雌ネジが形成され、前記取付孔に挿通されるとともに前記雌ネジに螺合され、床面に接地された接地部材を備えていてもよい。
【００２２】
このように構成された什器では、管材における接地部材が取り付けられる部分に応力集中が生じた場合でも、脚部材自体が強固な構成であるため、取り付け部分において変形や損傷が生じることを防止することができる。
【発明の効果】
【００２３】
本発明に係る管材構造及びこれを備えた什器によれば、スペーサー部材は管材の変形を抑制するとともに管材を支持することができるため、管材全体を強固な構成とすることができる。また、スペーサー部材は管材の内部に配設されるため、体裁良い構成とすることができる。よって、体裁よく、強固な構成とすることができる。
【図面の簡単な説明】
【００２４】
【図１】本発明の一実施形態に係るカート装置（什器）の斜視図である。
【図２】本発明の一実施形態に係る管材構造の構成を示す分解斜視図である。
【図３】本発明の一実施形態に係る管材構造の構成を示す立断面図である。
【図４】本発明の一実施形態に係る管材構造の構成を示す斜視図である。
【図５】本発明の一実施形態に係る管材構造で用いられる取付ネジの構成を示す正面図である。
【発明を実施するための形態】
【００２５】
以下、本発明の一実施形態に係る什器について、図面を参照して説明する。
図１に示すように、本実施形態に係る什器の一例であるカート装置１は、床面Ｆ上を走行可能とされた一対の脚部材２０と、該脚部材２０から立設された一対の支持基体２と、該一対の支持基体２間に配された複数の収納部５と、支持基体２の上端に設けられた天板６と、天板６に設けられた操作ハンドル７とを備えている。
【００２６】
執務者は、操作ハンドル７を把持して操作力を与えることでカート装置１を床面Ｆ上で移動させることが可能となっている。
【００２７】
ここで、執務者が操作ハンドル７と対向するように位置して操作ハンドル７を押し引きする方向となる図１の紙面左奥側から右手前側に向かう方向をカート装置１の前後方向とし、操作ハンドル７を押す側となる紙面左奥側をカート装置１の「前側」、操作ハンドル７を引く側となる紙面右手前側をカート装置１の「後側」と称する。また、平面視して前後方向と直交する方向となる図１の紙面左手前側から右奥側に向かう方向をカート装置１の左右方向とし、紙面左手前側をカート装置１の「左側」、紙面右奥側をカート装置１の「右側」と称する。
以下、各構成の詳細を説明する。
【００２８】
（脚部材）
脚部材２０は、前後方向（一方向）に向かって延在する管材３０を有し、該管材３０の前後方向の両端部は管材構造１０で構成されるとともに、該管材構造１０にはそれぞれキャスター２１（接地部材）が設けられている。
【００２９】
図２に示すように、管材３０は、断面視管状の部材であって、底壁部３１と、該底壁部３１の端部から立設する一対の側壁部３２と、該一対の側壁部３２の上端を連結する上壁部３３とを有している。
【００３０】
図３に示すように、底壁部３１は、幅方向（左右方向）略中央に形成された底本体３１ａと、該底本体３１ａから幅方向両側に向かうにしたがって下方に向かうように形成された一対の傾斜部３１ｂと、該一対の傾斜部３１ｂから幅方向外側に向かって延出する一対の第一段部３１ｃとを有している。
【００３１】
側壁部３２は、第一段部３１ｃの端部に連結され、断面視して幅方向外側に膨らむように円弧状に形成されている。
【００３２】
上壁部３３は、幅方向略中央において上向きに膨らむように円弧状に形成された円弧部３３ａと、該円弧部３３ａの端部から幅方向外側に向かって延出する一対の第二段部３３ｂとを有している。この第二段部３３ｂの端部が側壁部３２に連結されている。
【００３３】
このように管材３０は、傾斜部３１ｂにより傾斜が形成され、円弧部３３ａにより円弧状に形成されている。これにより、管材３０の断面積を大きく確保することができるため、断面二次モーメントが大きくなり、曲げ剛性に強い構成とされている。
【００３４】
また、底本体３１ａには、上下方向（他の方向）に向かって貫通する第一取付孔３８が穿設され、後述するキャスター２１が設けられている。さらに、一対の第一段部３１ｃには、上下方向に向かって貫通する第二取付孔３９が穿設され、後述する挿入部材１３０を固定するための取付ネジＰが設けられている。
【００３５】
（管材構造）
図２において、管材構造１０は、上記に示した管材３０と、該管材３０の内部に挿入配設された挿入部材１３０と、該挿入部材１３０に形成された凹部１３９に配設されたスペーサー部材４０と、管材３０の前後方向端部を覆うキャップ部材５０とを有している。
【００３６】
挿入部材１３０は、管材３０の前後方向端部３０ａに、それぞれ前方及び後方から挿入配置された弾性変形可能な部材であり、例えば樹脂等により形成されている。
挿入部材１３０は、管材３０内部に挿入された挿入部１４０と、該挿入部１４０の前後方向端部に設けられ管材３０の前後方向端部３０ａと係合する係合部１４１とを有している。
【００３７】
図３に示すように、挿入部１４０は、管材３０と対応した形状とされ、底壁部１３１と、一対の側壁部１３２と、上壁部１３３とを有している。さらに、底壁部１３１は、底本体１３１ａと、一対の傾斜部１３１ｂと、一対の第一段部１３１ｃとを有し、上壁部１３３は、円弧部１３３ａと、一対の第二段部１３３ｂとを有している。
【００３８】
また、図２に示すように、底壁部１３１と上壁部１３３とは上下方向延在する複数の内壁部１３８により連結されている。この内壁部１３８により底壁部１３１と上壁部１３３が連結されることで、挿入部１４０の強度が高められている。
【００３９】
また、円弧部１３３ａには上下方向に向かって凹んだ凹部１３９が形成されている。本実施形態では、凹部１３９は、底本体１３１ａにまで貫通し平面視略六角形状の貫通孔で構成されている。
【００４０】
また、第一段部１３１ｃ、側壁部１３２及び第二段部１３３ｂにわたって、周方向に連続する第一リブ１３６が前後方向に離間して複数形成され、側壁部１３２には前後方向に向かって延在する第二リブ１３７が形成されている。
【００４１】
この第一リブ１３６は管材３０の第一段部３１ｃ、側壁部３２及び第二段部３３ｂのそれぞれの内面に当接するとともに、第二リブ１３７は管材３０の側壁部３２の内面に当接している。
【００４２】
スペーサー部材４０の上下方向周りの外周形状は、貫通孔１３９の上下方向周りの内周形状と対応しており、互いに平面視略六角形状の補形をなす形状とされている。このスペーサー部材４０は、管材３０の変形を抑制する部材であって、該貫通孔１３９内に配設された状態で管材３０内部に配設されている。
スペーサー部材４０は、例えば鉄やステンレス等の金属で構成されている。
【００４３】
スペーサー部材４０は、幅方向に離間して配された一対の横壁部４１ａと、該横壁部４１ａの前端から幅方向中央に向かうにしたがって前方に向かうように形成された一対の前壁部４１ｂと、横壁部４１ａの後端から幅方向中央に向かうにしたがって後方に向かうように形成された一対の後壁部４１ｃとを有している。
これら、一対の前壁部４１ｂは前端にて連結され、一対の後壁部４１ｃは後端にて連結されている。
【００４４】
さらに、スペーサー部材４０は、一対の横壁部４１ａ、一対の前壁部４１ｂ、一対の後壁部４１ｃの下部をそれぞれ連結するスペーサー底部４１ｄと、一対の横壁部４１ａ、一対の前壁部４１ｂ、一対の後壁部４１ｃの上部をそれぞれ連結するスペーサー天部４１ｅとを有している。
【００４５】
このスペーサー天部４１ｅには、上方に向かって突出するとともに前後方向に向かって延在する凸条部４２が設けられている。
図３に示すように、凸条部４２は立断面視して円弧状に形成され、その頂点が管材３０の円弧部３３ａの下面に当接している。
【００４６】
また、スペーサー部材４０の上下方向の長さ、すなわち本実施形態では凸条部４２の頂点からスペーサー底部４１ｄまでの長さ寸法Ｈ１は、管材３０内部の長さ寸法、本実施形態では円弧部３３ａの内面から底本体３１ａまでの長さ寸法Ｈ２と略同一とされている。
【００４７】
すなわち、スペーサー部材４０の凸条部４２の頂点は管材の円弧部３３ａの内面に当接するとともに、スペーサー部材４０のスペーサー底部４１ｄは管材３０の底本体３１ａに当接している。
【００４８】
また、スペーサー部材４０における管材３０の第一取付孔３８に対応する部分には、スペーサー底部４１ｄとスペーサー天部４１ｅとを連通するように上下方向に向かって雌ネジ４６が形成され、該雌ネジ４６には後述するキャスター２１が設けられている。
【００４９】
キャップ部材５０は、管材３０の外部形状に対応した内部形状を有し、管材３０の底壁部３１に沿って形成された底キャップ５１ａと、管材３０の側壁部３２に沿って形成された一対の側キャップ５１ｂと、管材３０の上壁部３３に沿って形成された上キャップ５１ｃと、管材３０の前後方向端部３０ａを覆う端キャップ５１ｄ（図２参照）とを有している。
【００５０】
底キャップ５１ａには、上下方向に向かって貫通する第三取付孔５６が穿設され、後述する挿入部材１３０を固定するための取付ネジＰが設けられている。
【００５１】
底キャップ５１ａに穿設された第三取付孔５６及び管材３０に穿設された第二取付孔３９に挿通された取付ネジＰが、挿入部材１３０の一対の第一段部１３１ｃ及び内壁部１３８に螺合している。図４に示すように、このように管材３０、挿入部材１３０、スペーサー部材４０及びキャップ部材５０は一体とされている。
【００５２】
また図２及び図５に示すように、取付ネジＰは、先端Ｐ１がドリル形状に形成されていて、挿入部材１３０に下穴が形成されていなくても先端Ｐ１自体で下穴を穿設しながら挿入部材１３０に螺合可能とされている。
【００５３】
キャスター２１は、床面Ｆ上を走行可能な車輪２１ａと、該車輪２１ａを支持する車輪支持部２１ｂと、該車輪支持部２１ｂに設けられた雄ネジ２１ｃとを有していて、床面Ｆに直交する垂直軸回りに旋回可能とされている。
【００５４】
この雄ネジ２１ｃが管材３０の底本体３１ａに穿設された第一取付孔３８に挿通されるとともに、スペーサー部材４０に形成された雌ネジ４６に螺合されることで、該キャスター２１はスペーサー部材４０を介在させて管材３０に固定されている。
【００５５】
図１において、支持基体２は脚部材２０の前後方向略中央より後方から上下方向に立設され、該支持基体２の左右方向内側には側フレーム３が設けられている。
【００５６】
側フレーム３は、四方枠３ａと、該四方枠３ａ内に前後方向に向かって延在し上下方向に離間して配された複数の横フレーム３ｂとを有している。該横フレーム３ｂには、前後方向に延在するレール４が複数設けられている。
【００５７】
収納部５は、上方が開放され物品を収容可能なトレー状部材であって、側フレーム３のレール４に対して前後方向にスライド可能に設けられている。
【００５８】
天板６は、上面が床面Ｆと平行な状態とされるとともに平面視略矩形状に形成され、支持基体２に支持されている。そして、上面は薬品等の物品が載置可能であり、又はカルテ等の記載が可能な作業台として使用することができる。
【００５９】
操作ハンドル７は、天板６の後部且つ左右両側から後方に突設された一対のハンドル取付部７ａと、該一対のハンドル取付部７ａを連結する把持部７ｂとを備える。
【００６０】
このようなカート装置１では、執務者は、収納部５に物品を収容して、操作ハンドル７の把持部７ｂを把持して、押し引きしてキャスター２１を旋回させることで、カート装置１を床面Ｆ上で移動させることができる。
【００６１】
そして、任意の場所でカート装置１を停止させ、収納部５に収容した物品を用いて執務が出来るとともに、天板６の上にて作業が可能とされている。
【００６２】
ここで、カート装置１では、挿入部材１３０が弾性変形して管材３０内部に配され、第一リブ１３６が管材３０の第一段部３１ｃ、側壁部３２及び第二段部３３ｂのそれぞれの内面に当接するとともに、第二リブ１３７が側壁部３２の内面に当接している。また、挿入部材１３０の係合部１４１は、管材３０の前後方向端部３０ａと係合している。よって、挿入部材１３０は管材３０内に位置決めされた状態で、確実に嵌め込まれている。
【００６３】
また、挿入部材１３０に形成された貫通孔１３９内に配設されたスペーサー部材４０は、管材３０の上下方向に対する変形を抑制するとともに、凸条部４２の頂部が管材３０の円弧部３３ａの下面と当接支持している。よって、凸条部４２に作用する荷重をスペーサー部材４０全体で負担することができるため、脚部材２０全体を強固な構成とすることができる。したがって、カート装置１に作用する荷重を、脚部材２０において確実に負担することができる。
【００６４】
さらに、例えば、脚部材２０に上下方向の外力が加わる場合でも、管材３０に作用する外力をスペーサー部材４０が負担することができるため、脚部材２０が変形したり損傷したりする虞がない。
【００６５】
特に、脚部材２０におけるキャスター２１の取付部分に応力集中が生じた場合でも、脚部材２０自体が強固な構成であるため、取付部分において変形や損傷が生じることを防止することができる。
【００６６】
また、スペーサー部材４０は管材３０の内部に配設されるため、外観からは目視できず、体裁良い構成とすることができる。
【００６７】
また、本実施形態では、凹部１３９が貫通孔で構成されているため、凹部１３９に配設されるスペーサー部材４０の体積を大きく確保することができる。よって、脚部材２０全体をより一層強固な構成とすることができる。
【００６８】
また、スペーサー部材４０に形成された凸条部４２は縦断面視して円弧状に形成されているため、管材３０内面とスペーサー部材４０との接触面積を抑えて、スペーサー部材４０を管材３０内部に配設することができる。よって、スペーサー部材４０を管材３０内部に容易に挿入配置することができる。
【００６９】
また、スペーサー部材４０は平面視略六角形状のであるため、該スペーサー部材４０に形成された雌ネジ４６にキャスター２１の雄ネジ２１ｃを螺合させる際に、挿入部材１３０に形成された貫通孔１３９内において共に回転することがない。よって、キャスター２１を管材３０に対して確実に固定することができる。
【００７０】
また、上述した実施の形態において示した動作手順、あるいは各構成部材の諸形状や組み合わせ等は一例であって、本発明の主旨から逸脱しない範囲において設計要求等に基づき種々変更可能である。
【００７１】
なお、上記の実施形態においては、什器の一例としてカート装置１を示したが、テーブル、カウンター、陳列棚等他の什器においても適用可能である。
【００７２】
また、接地部材として、キャスター２１を例に挙げて説明したが、アジャスタ等も採用可能である。
【００７３】
さらに、管材構造１は、脚部材２０以外にも陳列棚を構成する上下方向又は水平方向に向かって延在する枠部材等についても適用可能である。
【００７４】
また、スペーサー部材４０の形状としては、平面視六角形状に限られず、略三角形、略四角形等の多角形形状であってもよい。
【符号の説明】
【００７５】
１…カート装置
１０…管材構造
２０…脚部材
２１…キャスター（接地部材）
３０…管材３０
３８…第一取付孔（取付孔）
４０…スペーサー部材
４２…凸条部
４６…雌ネジ
１３０…挿入部材
１３９…凹部（貫通孔）
１４１…係合部
【図１】
2014145462.tif 000003
【図２】
2014145462.tif 000004
【図３】
2014145462.tif 000005
【図４】
2014145462.tif 000006
【図５】
2014145462.tif 000007